(57)【要約】【課題】重ね合わされた複数枚の用紙を人手によらずに捌く。【解決手段】載置台３０上に載置された複数枚の用紙に対して、載置台３０側から空気を吹き付けるエアー供給ノズル６２を有し、重ね合わされた複数枚の用紙が、一対の押さえ部材１０ａ，１０ｂのうち一方のみに当接するように載置台３０上に載置され、エアー供給ノズル６２は、重ね合わされた複数枚の用紙のうち、押さえ部材１０ａ，１０ｂに当接していない側の用紙に対しては、載置台３０側から複数枚の用紙が当接していない押さえ部材１０ａに向かって斜めに空気を吹き付ける。【選択図】図１
2009220981.tif 000002
【特許請求の範囲】
【請求項１】
重ね合わされた複数枚の用紙を捌く紙捌き装置であって、
前記重ね合わされた複数枚の用紙が、該複数枚の用紙のそれぞれが起立する向きで載置される載置台と、
前記載置台上の前記複数枚の用紙が載置される領域にて当該複数枚の用紙の重ね合わせ方向に互いに対向して配置された一対の押さえ部材と、
前記載置台上に載置された前記複数枚の用紙に対して、前記載置台側から空気を吹き付ける空気吹付手段とを有し、
前記重ね合わされた複数枚の用紙が、前記一対の押さえ部材のうち一方のみに当接するように前記載置台上に載置され、
前記空気吹付手段は、前記重ね合わされた複数枚の用紙のうち、前記押さえ部材に当接していない側の用紙に対しては、前記載置台側から前記複数枚の用紙が当接していない押さえ部材に向かって斜めに空気を吹き付ける紙捌き装置。
【発明の詳細な説明】
【技術分野】
【０００１】
本発明は、重ね合わされた複数枚の用紙を捌く紙捌き装置に関する。
【背景技術】
【０００２】
従来より、クレジットカードや携帯電話の利用明細書は、所定の用紙に利用明細情報が印字され、封筒に封入されて利用者に発送されている。このような利用明細書を発送するクレジットカード会社や携帯電話会社のほとんどは、広告情報が掲載された印刷物を利用明細書とともに封筒に封入して利用者に発送している。
【０００３】
また、広告情報が掲載された印刷物が封筒に封入されてなるダイレクトメールやビジネスメールにおいても、複数の印刷物がダイレクトメールやビジネスメールの送付先に応じた組み合わせで封筒に同封され、発送されている。
【０００４】
このように複数の印刷物を１つの封筒に同封する場合は、まず、１つの封筒に同封する複数の印刷物を組み合わせる必要がある。従来より、複数の印刷物を組み合わせる場合は、組み合わされる複数の印刷物を、その種類毎に設けられたフィーダから１枚ずつフィードし、フィードされた印刷物を搬送する搬送経路上にて順次重ね合わせることが行われ、それにより、複数の印刷物が組み合わされている（例えば、特許文献１参照。）。そのため、印刷物を１枚ずつフィードするフィーダのそれぞれには、フィードされる印刷物がその種類毎に複数枚重ね合わされて供給されることになる。
【０００５】
搬送経路上で組み合わされた複数の印刷物は、その後、１つの封筒に封入されることになる。
【特許文献１】特開平７−１８６１号公報
【発明の開示】
【発明が解決しようとする課題】
【０００６】
しかしながら、上述したように印刷物等の用紙が複数枚重ね合わされた場合、重ね合わされた用紙どうしが静電気等の作用によって密着してしまい、フィーダにかけられた際、一度に複数枚の用紙がフィードされてしまう、いわゆるダブルフィードが生じてしまう虞れがある。そこで、複数枚重ね合わされた用紙をフィーダにかける際に、複数枚の用紙が重ね合わされた紙束を作業員が手作業で波打たせるように揺動させることにより、１枚ずつの用紙に分離しやすいように捌くことが行われているが、この作業は人手による作業であるため、一度に捌くことができる用紙の枚数には限度があり、１つのフィーダにかけられる用紙の枚数や、用紙がかけられるフィーダの数が多い場合、作業効率が著しく低下してしまうという問題点がある。
【０００７】
本発明は、上述したような従来の技術が有する問題点に鑑みてなされたものであって、重ね合わされた複数枚の用紙を人手によらずに捌くことができる紙捌き装置を提供することを目的とする。
【課題を解決するための手段】
【０００８】
上記目的を達成するために本発明は、
重ね合わされた複数枚の用紙を捌く紙捌き装置であって、
前記重ね合わされた複数枚の用紙が、該複数枚の用紙のそれぞれが起立する向きで載置される載置台と、
前記載置台上の前記複数枚の用紙が載置される領域にて当該複数枚の用紙の重ね合わせ方向に互いに対向して配置された一対の押さえ部材と、
前記載置台上に載置された前記複数枚の用紙に対して、前記載置台側から空気を吹き付ける空気吹付手段とを有し、
前記重ね合わされた複数枚の用紙が、前記一対の押さえ部材のうち一方のみに当接するように前記載置台上に載置され、
前記空気吹付手段は、前記重ね合わされた複数枚の用紙のうち、前記押さえ部材に当接していない側の用紙に対しては、前記載置台側から前記複数枚の用紙が当接していない押さえ部材に向かって斜めに空気を吹き付ける。
【０００９】
上記のように構成された本発明においては、重ね合わされた複数枚の用紙が、一対の押さえ部材のうち一方のみに当接するようにそのそれぞれが起立する向きで載置台上に載置された状態において、空気吹付手段によって複数枚の用紙に対して載置台側から空気が吹き付けられる。すると、空気吹付手段から吹き付けられた空気は、複数枚の用紙間を通って載置台とは反対側に抜ける。これにより、重ね合わされた複数枚の用紙が、空気吹付部から吹き付けられた空気によって分離する。ここで、重ね合わされた複数枚の用紙は、空気吹付手段によって載置台側から空気が吹き付けられると、吹き付けられた空気によって載置台とは反対側に飛び出そうとする力が働く。ところが、重ね合わされた用紙どうしの摩擦力や、押さえ部材に当接した用紙においては押さえ部材との摩擦力によって、載置台とは反対側に飛び出すことが抑制されている。ところで、空気吹付手段から空気が吹き付けられる前の状態においては、重ね合わされた複数枚の用紙の一方の面側が押さえ部材に当接していない。これは、重ね合わされた複数枚の用紙が上述したように分離した場合にその厚さが厚くなることを考慮したためである。そのため、重ね合わされた複数枚の用紙の両端面のうち押さえ部材に当接していない側の面となる用紙においては、押さえ部材との摩擦力が生じておらず、そのため、空気吹付手段から空気が吹き付けられると、吹き付けられた空気によって載置台とは反対側に飛び出してしまう虞れがある。ここで、空気吹付手段においては、重ね合わされた複数枚の用紙のうち、押さえ部材に当接していない側の用紙に対しては、載置台側から複数枚の用紙が当接していない押さえ部材に向かって斜めに空気が吹き付けられる。すると、空気吹付手段から吹き付けられる空気によって、押さえ部材に当接していない側の用紙を載置台とは反対側に飛び出させようとする力の強さがベクトル分散によって弱まるとともに、押さえ部材に当接していない側の面となる用紙が押さえ部材側に押されて押さえ部材に当接し、押さえ部材との摩擦力が生じるようになり、それにより、押さえ部材に当接していない側の用紙が載置台とは反対側に飛び出すことが抑制されることになる。
【発明の効果】
【００１０】
以上説明したように本発明においては、重ね合わされて載置台上に載置された複数枚の用紙に対して用紙の一端部側となる載置台側から空気を吹き付ける空気吹付手段を有し、また、重ね合わされた複数枚の用紙が、一対の押さえ部材のうち一方のみに当接するように載置台上に載置された状態において、空気吹付手段が、重ね合わされた複数枚の用紙のうち、押さえ部材に当接していない側の用紙に対しては、載置台側から複数枚の用紙が当接していない押さえ部材に向かって斜めに空気を吹き付ける構成としたため、空気吹付手段から複数枚の用紙に吹き付けられた空気が複数枚の用紙間を通って載置台とは反対側に抜けて、複数枚の用紙が分離し、それにより、重ね合わされた複数枚の用紙を人手によらずに捌くことができ、また、押さえ部材に当接していない側の用紙に対して載置台側から複数枚の用紙が当接していない押さえ部材に向かって斜めに空気を吹き付けることにより、押さえ部材に当接していない側の用紙が載置台とは反対側に飛び出すことを抑制することができる。
【発明を実施するための最良の形態】
【００１１】
以下に、本発明の実施の形態について図面を参照して説明する。
【００１２】
図１は、本発明の紙捌き装置の実施の一形態を示す図であり、（ａ）は外観斜視図、（ｂ）は（ａ）に示した矢印Ａ方向から見た図である。また、図２は、図１に示したエアー供給ノズル６２の詳細な構造を示す図である。
【００１３】
本形態は図１に示すように、重ね合わされた複数枚の用紙が載置される載置台３０と、載置台３０上にて互いに対向して配置された一対の端面支え部材２０ａ，２０ｂと、載置台３０上にて一対の端面支え部材２０ａ，２０ｂを結ぶ線と直交する方向にて互いに対向して配置された一対の押さえ部材１０ａ，１０ｂと、載置台３０上に載置された複数の用紙に対して載置台３０側から空気を吹き付ける空気吹付手段を構成するエアー供給器６１及びエアー供給ノズル６２とから構成されている。
【００１４】
端面支え部材２０ａ，２０ｂは、それぞれがコの字型を有し、載置台３０の端面支え部材２０ａ，２０ｂと押さえ部材１０ａ，１０ｂによって囲まれた領域に載置された複数枚の用紙の端面を支えるものである。この端面支え部材２０ａ，２０ｂは、載置台３０上に載置される用紙の大きさに合わせて互いの間隔を調節できるように移動自在に構成されている。
【００１５】
押さえ部材１０ａ，１０ｂはそれぞれ、一対の端面支え部材２０ａ，２０ｂを結ぶ方向に並んだ２つの平板部１１ａ，１２ａ及び１１ｂ，１２ｂから構成されている。この平板部１１ａと平板部１２ａ、並びに平板部１１ｂと平板部１２ｂは、互いに連結しており、連結部分が２つの押さえ部材１０ａ，１０ｂが離れる方向に突出したＶ字形状となっている。このような平板部１１ａ，１２ａの角度は、支持板１５ａに取り付けられた角度調節部１４ａによって調節され、また、平板部１１ｂ，１２ｂの角度は、支持板１５ｂに取り付けられた角度調節部１４ｂによって調節されている。この角度調節部１４ａ，１４ｂを用いることにより、載置台３０の端面支え部材２０ａ，２０ｂと押さえ部材１０ａ，１０ｂによって囲まれた領域に載置された複数枚の用紙の種類等に応じて、平板部１１ａ，１２ａ及び１１ｂ，１２ｂの角度を調節することができる。また、一対の押さえ部材１０ａ，１０ｂのうち一方の押さえ部材１０ａは、載置台３０に取り付けられた調節用ハンドル１３を回すことによって、押さえ部材１０ｂとの間隔が調節可能となっている。
【００１６】
載置台３０には、一対の押さえ部材１０ａ，１０ｂが対向する領域に表裏貫通した穴部３１が形成されており、この穴部３１に対向する領域に、エアー供給器６１から供給された空気を排出するエアー供給ノズル６２が配置されている。それにより、エアー供給器６１から供給された空気が載置台３０の穴部３１が形成された領域に対してエアー供給ノズル６２によって吹き付けられることになる。エアー供給ノズル６２は図２に示すように、その先端部が複数のエアー吹出口６４からなり、複数のエアー吹出口６４は、載置台３０の端面支え部材２０ａ，２０ｂと押さえ部材１０ａ，１０ｂによって囲まれた領域に載置された用紙の重ね合わせ方向に直交する方向に配列されている。また、回転軸６３を中心に複数のエアー吹出口６４の配列方向に直交する方向に首振り機能を有し、それにより、エアー供給口６４が、穴部３１と対向する領域において、載置台３０の端面支え部材２０ａ，２０ｂと押さえ部材１０ａ，１０ｂによって囲まれた領域に載置された複数枚の用紙の重ね合わせ方向に弧を描くように移動可能となっている。
【００１７】
以下に、上記のように構成された紙捌き装置１を用いた紙捌き方法について説明する。
【００１８】
図３は、図１に示した紙捌き装置１の載置台３０上に複数枚の印刷物４０が載置された状態を示す図である。
【００１９】
図３に示すように、図１に示した紙捌き装置１を用いて捌く複数枚の印刷物４０は、重ね合わされた状態で複数枚の印刷物４０のそれぞれが起立し、かつ、複数枚の印刷物４０の重ね合わせ方向が押さえ部材１０ａ，１０ｂが対向する方向となる向きで紙捌き装置１の端面支え部材２０ａ，２０ｂと押さえ部材１０ａ，１０ｂによって囲まれた領域に載置される。この際、調節用ハンドル１３を回すことにより、２枚の平板部１１ａ，１２ａからなる押さえ部材１０ａを移動させ、押さえ部材１０ａと押さえ部材１０ｂとの間隔を調節することになるが、押さえ部材１０ａと押さえ部材１０ｂとの間隔が、重ね合わされた複数枚の印刷物４０全体の厚さよりも広い間隔となるように押さえ部材１０ａと押さえ部材１０ｂとの間隔を調節する。これは、重ね合わされた複数枚の印刷物４０が捌かれた場合、エアー供給ノズル６２から吹き付けられた空気が複数枚の印刷物４０間に入り込み、その空気による膨らみによって複数枚の印刷物４０全体の厚さが厚くなることになるが、その空気による膨らみをそのまま維持するためである。そのため、押さえ部材１０ａと押さえ部材１０ｂとの間隔を、エアー供給ノズル６２から吹き付けられた空気による膨らみの程度に応じて設定する。例えば、０．０８ｍｍの１枚からなる印刷物４０が８００枚重ね合わされた場合、複数枚の印刷物４０全体の捌き前の厚さは約８０ｍｍであるのに対して捌き後の厚さは１１０〜１２０ｍｍとなり、捌き後の厚さが捌き前の厚さと比べて１．５倍となる。また、Ｖ字折りされた１枚が０．１６ｍｍの印刷物４０が４００枚重ね合わされた場合、複数枚の印刷物４０全体の捌き前の厚さは約７５ｍｍであるのに対して捌き後の厚さは１００〜１１０ｍｍとなり、捌き後の厚さが捌き前の厚さと比べて１．５倍となる。そのため、重ね合わされた印刷物４０の捌き前の厚さに対して、押さえ部材１０ａと押さえ部材１０ｂとの間隔が１．５倍となるように調節することになる。また、それにより、端面支え部材２０ａ，２０ｂと押さえ部材１０ａ，１０ｂによって囲まれた領域に載置された複数枚の印刷物４０は、一対の押さえ部材１０ａ，１０ｂの両方ともに当接するのではなく、一方の押さえ部材１０ｂのみに当接するように載置されることになる。
【００２０】
次に、上述したように紙捌き装置１の載置台３０上に載置された複数枚の印刷物４０を捌く際の動作について説明する。
【００２１】
図４は、図１に示した紙捌き装置１にて載置台３０上に載置された複数枚の印刷物４０を捌く際の動作を説明するための図であり、端面支え部材２０ａ側から見た図である。
【００２２】
上述したように、重ね合わされた複数枚の印刷物４０を、複数枚の印刷物４０のそれぞれが起立し、かつ、複数枚の印刷物４０の重ね合わせ方向が押さえ部材１０ａ，１０ｂが対向する方向となる向きで、載置台３０の端面支え部材２０ａ，２０ｂと押さえ部材１０ａ，１０ｂによって囲まれた領域に載置する。この際、上述したように、押さえ部材１０ｂ側となる印刷物４０が押さえ部材１０ｂに当接するようにする。
【００２３】
この状態でエアー供給器６１及びエアー供給ノズル６２を駆動させると、エアー供給器６１からエアー供給ノズル６２に空気が送られてエアー供給ノズル６２のエアー吹出口６４から空気が排出される。エアー供給ノズル６２は、載置台３０の穴部３１に対向する領域に配置されているため、エアー供給器６１から供給された空気は、エアー供給ノズル６２によって、載置台３０の穴部３１から表出した印刷物４０の端部側から吹き付けられる。この際、エアー供給ノズル６２は、初期状態として、押さえ部材１０ｂ側に向いており、また、エアー供給ノズル６２を構成する複数のエアー吹出口６４が、載置台３０上に載置された印刷物４０の重ね合わせ方向に直交する方向に配列されているため、エアー供給ノズル６２から排出された空気は、載置台３０上に載置された印刷物４０のうち、まず、押さえ部材１０ｂに当接している印刷物４０に吹き付けられる。
【００２４】
エアー供給ノズル６２から排出された空気が、押さえ部材１０ｂに当接している印刷物４０に吹き付けられると、図４（ａ）に示すように、エアー供給ノズル６２によって吹き付けられた空気が、押さえ部材１０ｂに当接している印刷物４０やその印刷物４０に重ね合わされた印刷物４０の表裏に入り込み、押さえ部材１０ｂ近傍の印刷物４０どうしが分離する。ここで、印刷物４０には載置台３０の穴部３１から表出した領域にのみエアー供給ノズル６２から空気が吹き付けられ、また、押さえ部材１０ｂの形状がＶ字型であることから、空気が吹き付けられた印刷物４０はその中央部分が大きく変形し、互いに分離することになる。
【００２５】
ところで、エアー供給ノズル６２から印刷物４０に空気が吹き付けられると、吹き付けられた空気によって印刷物４０には載置台３０とは反対側に飛び出そうとする力が働く。ところが、上述したように、空気が吹き付けられた印刷物４０はその中央部分が大きく変形して互いに分離するため、印刷物４０の端面支え部材２０ａ，２０ｂの近傍においては、エアー供給ノズル６２から空気が吹き付けられた直後は、印刷物４０どうしが互いに接しているとともに、最も押さえ部材１０ｂ側となる印刷物４０と押さえ部材１０ｂとも互いに当接しており、そのため、エアー供給ノズル６２から排出された空気が、押さえ部材１０ｂに当接している印刷物４０に吹き付けられた場合であっても、印刷物４０どうしの当接による摩擦力と、押さえ部材１０ｂに当接している印刷物４０と押さえ部材１０ｂとの当接による摩擦力によって印刷物４０が載置台３０とは反対側に飛び出すことが抑制される。
【００２６】
図５は、図１に示した紙捌き装置１において、押さえ部材１０ｂに当接した印刷物４０側に空気が吹き付けられた場合の印刷物４０の状態を示す図である。
【００２７】
エアー供給ノズル６２から空気が吹き付けられた印刷物４０は、上述したように中央部分が大きく変形して互いに分離し、その後、図５に示すように、印刷物４０間に入り込んだ空気によって全体が分離していくことになる。
【００２８】
その後、エアー供給ノズル６２は、エアー供給口６４から空気を排出しながら回転軸６３を中心としてエアー供給口６４が押さえ部材１０ａ側に向かって弧を描くように回転していき、それに伴って、載置台３０上に載置された印刷物４０には、押さえ部材１０ｂ側から順次空気が吹き付けられていき、上述したように、印刷物４０間に空気が入り込み、図４（ｂ）に示すように、押さえ部材１０ｂ側から徐々に分離していくことになる。なお、この場合においても、エアー供給ノズル６２から印刷物４０に空気が吹き付けられると、吹き付けられた空気によって印刷物４０には載置台３０とは反対側に飛び出そうとする力が働くが、空気が吹き付けられた印刷物４０はその中央部分が大きく変形して互いに分離するため、印刷物４０の端面支え部材２０ａ，２０ｂの近傍においては、エアー供給ノズル６２から空気が吹き付けられた直後は、印刷物４０どうしが互いに接しており、それにより、印刷物４０どうしの当接による摩擦力によって、印刷物４０が載置台３０とは反対側に飛び出すことが抑制される。
【００２９】
このようにして、重ね合わされた印刷物４０どうしが徐々に分離していくと、図４（ｂ）に示すように、印刷物４０間に入り込んだ空気によって印刷物４０が押さえ部材１０ａ側に膨らんでいくことになる。
【００３０】
エアー供給ノズル６２が、エアー供給口６４から空気を排出しながら回転軸６３を中心としてさらに回転していき、エアー供給ノズル６２から排出された空気が、重ね合わされた複数枚の印刷物４０のうち、最も押さえ部材１０ａ側となる印刷物４０近傍に吹き付けられると、図４（ｃ）に示すように、エアー供給ノズル６２によって吹き付けられた空気が、最も押さえ部材１０ａ側となる印刷物４０やその印刷物４０に重ね合わされた印刷物４０の表裏に入り込み、押さえ部材１０ｂ近傍の印刷物４０どうしが分離する。
【００３１】
ここで、押さえ部材１０ａと押さえ部材１０ｂとの間隔が、重ね合わされた複数枚の印刷物４０全体の厚さよりも広い間隔となるように調整されているとともに、複数枚の印刷物４０が押さえ部材１０ｂのみに当接するように載置台３０上に載置されるため、載置台３０上に載置された複数枚の印刷物４０のうち、最も押さえ部材１０ａ側となる印刷物４０は、エアー供給ノズル６２から排出された空気が、最も押さえ部材１０ａ側となる印刷物４０近傍に吹き付けられた直後においては、押さえ部材１０ａに当接していない。そのため、押さえ部材１０ａとの摩擦力が生じておらず、エアー供給ノズル６２から空気が吹き付けられると、吹き付けられた空気によって載置台３０とは反対側に飛び出してしまう虞れがある。
【００３２】
ところで、エアー供給ノズル６２が、回転軸６３を中心としてエアー供給口６４が弧を描くように回転していきながら印刷物４０に対して空気を吹き付けるため、図４（ｃ）に示したように、押さえ部材１０ａ側となる印刷物４０には、エアー供給ノズル６２から押さえ部材１０ａに向かって斜めに空気が吹き付けられることになる。
【００３３】
以下に、載置台３０上に載置された印刷物４０のうち押さえ部材１０ａ側となる印刷物４０に対して、エアー供給ノズル６２から押さえ部材１０ａに向かって斜めに空気が吹き付けられることによる作用について詳細に説明する。
【００３４】
図６は、図１に示した紙捌き装置１において、押さえ部材１０ａに当接していない側の印刷物４０に対して、エアー供給ノズル６２から押さえ部材１０ａに向かって斜めに空気が吹き付けられることによる作用を説明するための図であり、端面支え部材２０ａ側から見た押さえ部材１０ａ近傍の領域を示す。また、図７は、図１に示した紙捌き装置１において、押さえ部材１０ａに当接していない側の印刷物４０に対して、エアー供給ノズル６２から押さえ部材１０ａに向かって斜めに空気が吹き付けられることによる力の分散を説明するための図である。
【００３５】
最も押さえ部材１０ａ側となる印刷物４０に対して、エアー供給ノズル６２から押さえ部材１０ａに向かって斜めに空気が吹き付けられると、まず、図６（ａ）に示すように、最も押さえ部材１０ａ側となる印刷物４０の載置台３０側の端部が、エアー供給ノズル６２から吹き付けられた空気によって押さえ部材１０ａ側に湾曲し、押さえ部材１０ａに当接するようになる。
【００３６】
エアー供給ノズル６２から吹き付けられた空気は、最も押さえ部材１０ａ側となる印刷物４０とその印刷物４０に重ね合わされた印刷物４０との間に入り込み、図６（ｂ）に示すように、載置台３０とは反対側に抜けようとしていき、それに伴い、最も押さえ部材１０ａ側となる印刷物４０とその印刷物４０に重ね合わされた印刷物４０とが分離していくとともに、最も押さえ部材１０ａ側となる印刷物４０が載置台３０側の端部から押さえ部材１０ａに当接していく。
【００３７】
その後、最も押さえ部材１０ａ側となる印刷物４０とその印刷物４０に重ね合わされた印刷物４０との間に入り込んだ空気は、載置台３０とは反対側に抜け、それに伴い、最も押さえ部材１０ａ側となる印刷物４０とその印刷物４０に重ね合わされた印刷物４０とが分離しするとともに、最も押さえ部材１０ａ側となる印刷物４０が押さえ部材１０ａに当接する。
【００３８】
このように、最も押さえ部材１０ａ側となる印刷物４０とその印刷物４０に重ね合わされた印刷物４０とは、エアー供給ノズル６２から空気が吹き付けられると、最も押さえ部材１０ａ側となる印刷物４０が押さえ部材１０ａに当接していきながら分離していくため、最も押さえ部材１０ａ側となる印刷物４０と押さえ部材１０ａとの当接による摩擦力によって、最も押さえ部材１０ａ側となる印刷物４０が載置台３０とは反対側に飛び出すことが抑制される。
【００３９】
また、図７に示すように、最も押さえ部材１０ａ側となる印刷物４０には、エアー供給ノズル６２から押さえ部材１０ａに向かって斜めに空気が吹き付けられることにより、空気の吹き付け方向と印刷物４０に沿う方向とが互いに異なることになる。それにより、エアー供給ノズル６２からの空気の吹き付けによる力によって印刷物４０に沿う方向に作用する力の大きさが、力のベクトル分散によって弱まり、これによっても、最も押さえ部材１０ａ側となる印刷物４０が載置台３０とは反対側に飛び出すことが抑制されることになる。また、エアー供給ノズル６２から吹き付けられる空気によって、印刷物４０を押さえ部材１０ａに押し付ける力が生じ、これによっても、最も押さえ部材１０ａ側となる印刷物４０が載置台３０とは反対側に飛び出すことが抑制されることになる。
【００４０】
上述したような作用は、最も押さえ部材１０ａ側となる印刷物４０のみに働くものではなく、最も押さえ部材１０ａ側となる印刷物４０に重ね合わされた印刷物４０、さらにはその近傍の印刷物４０にも生じる。これは、最も押さえ部材１０ａ側となる印刷物４０に重ね合わされた印刷物４０やその近傍の印刷物４０においては、最も押さえ部材１０ａ側となる印刷物４０が押さえ部材１０ａに当接していないことから、印刷物４０間の当接による摩擦力が弱いことによるものであり、上述した作用によって、載置台３０とは反対側に飛び出すことが抑制されることになる。
【００４１】
このようにして、エアー供給ノズル６２が、エアー供給口６４から空気を排出しながら回転軸６３を中心としてさらに回転していくことにより、載置台３０上に載置された複数枚の印刷物４０間に、エアー供給ノズル６２から吹き付けられた空気が順次入り込んでいき、それにより、複数枚の印刷物４０が互いに分離し、捌かれることになる。
【００４２】
図８は、図１に示した紙捌き装置１において載置台３０上に載置された複数枚の印刷物４０が捌かれた状態を示す図である。
【００４３】
図８に示すように、エアー供給ノズル６２から排出された空気が吹き付けられた印刷物４０は、その空気が印刷物４０間に入り込むことにより互いに分離しており、その後、フィーダから１枚ずつフィードする等の処理を行う際に、ダブルフィード等が生じてしまうことがなくなる。またこの際、捌かれた印刷物４０は、エアー供給ノズル６２から排出された空気が印刷物４０間に入り込むことにより重ね合わせ方向に膨らみ、それにより、一対の押さえ部材１０ａ，１０ｂによって表裏から挟み込まれた状態となる。
【００４４】
なお、本形態においては、エアー供給ノズル６２が、エアー供給口６４から空気を排出しながら回転軸６３を中心として回転するものであって、押さえ部材１０ａ，１０ｂの近傍となる印刷物４０に対して斜めの方向から空気が吹き付けられているが、最も押さえ部材１０ｂ側となる印刷物４０は、重ね合わされた複数枚の印刷物４０が載置台３０上に載置された状態において押さえ部材１０ｂに当接していることにより押さえ部材１０ｂとの間にて摩擦力を有するため、印刷物４０が載置台３０上に載置された際に押さえ部材１０ａに当接しない側の印刷物４０に対して斜めの方向から空気を吹き付けるものであれば、押さえ部材１０ｂの近傍となる印刷物４０に対して斜めの方向から空気が吹き付けるものでなくてもよい。
【００４５】
また、本形態においては、１枚のシートからなる印刷物４０を載置台３０上に載置し、エアー供給ノズル６２から吹き付ける空気によって印刷物４０を分離する例を示したが、複数枚の紙片が綴じられたり折り畳まれたりして構成された冊子等を本発明の用紙として載置台３０上に載置し、エアー供給ノズル６２から吹き付ける空気によって冊子を分離することも考えられる。
【図面の簡単な説明】
【００４６】
【図１】本発明の紙捌き装置の実施の一形態を示す図であり、（ａ）は外観斜視図、（ｂ）は（ａ）に示した矢印Ａ方向から見た図である。
【図２】図１に示したエアー供給ノズルの詳細な構造を示す図である。
【図３】図１に示した紙捌き装置の載置台上に複数枚の印刷物が載置された状態を示す図である。
【図４】図１に示した紙捌き装置にて載置台上に載置された複数枚の印刷物を捌く際の動作を説明するための図である。
【図５】図１に示した紙捌き装置において、押さえ部材に当接した印刷物側に空気が吹き付けられた場合の印刷物の状態を示す図である。
【図６】図１に示した紙捌き装置において、押さえ部材に当接している側の印刷物に対して、エアー供給ノズルから押さえ部材に向かって斜めに空気が吹き付けられることによる作用を説明するための図である。
【図７】図１に示した紙捌き装置において、押さえ部材に当接している側の印刷物に対して、エアー供給ノズルから押さえ部材に向かって斜めに空気が吹き付けられることによる力の分散を説明するための図である。
【図８】図１に示した紙捌き装置において載置台上に載置された複数枚の印刷物が捌かれた状態を示す図である。
【符号の説明】
【００４７】
１    紙捌き装置
１０ａ，１０ｂ    押さえ部材
１１ａ，１１ｂ，１２ａ，１２ｂ    平板部
１３    調節用ハンドル
１４ａ，１４ｂ    角度調節部
１５ａ，１５ｂ    支持板
２０ａ，２０ｂ    端面支え部材
３０    載置台
３１    穴部
４０    印刷物
６１    エアー供給器
６２    エアー供給ノズル
６３    回転軸
６４    エアー吹出口
【図１】
2009220981.tif 000003
【図２】
2009220981.tif 000004
【図３】
2009220981.tif 000005
【図４】
2009220981.tif 000006
【図５】
2009220981.tif 000007
【図６】
2009220981.tif 000008
【図７】
2009220981.tif 000009
【図８】
2009220981.tif 000010